【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
ユーザをモニタリングするシステムであって、
前記ユーザに又は前記ユーザが装着する物品に直接又は間接に固定されるように構成されたユーザ装着可能センサデバイスであって、前記ユーザの配向に関連付けられたセンサデータを収集するように構成された少なくとも一つのセンサを含むユーザ装着可能センサデバイスと、
少なくとも一つのＬＥＤ又は他の視覚インジケータを含む前記ユーザ装着可能センサデバイスの表示ユニットと、
プロセッサを含むデータ分析システムと
を含み、
前記プロセッサは、
前記少なくとも一つのセンサが収集したセンサデータを受信することと、
前記センサデータを分析して前記ユーザの配向を決定することと
を行うように構成され、
前記ユーザ装着可能センサデバイスの表示ユニットは、現在時刻よりも前の少なくとも一つの期間中の、前記ユーザの決定された配向に関する又は基づく情報を表示するように構成されるシステム。
【請求項２】
前記データ分析システムのプロセスは、前記ユーザが少なくとも一つの特定配向において費やされた時間量を決定するように構成され、
前記ユーザ装着可能センサデバイスの表示ユニットを介して、現在時刻よりも前の少なくとも一つの期間中の、前記ユーザの決定された配向に関する又は基づく情報を表示することは、前記ユーザが少なくとも一つの特定配向において費やされた時間量の表示を示すことを含む請求項１のシステム。
【請求項３】
前記データ分析システムのプロセスは、複数の異なる配向において費やされた相対的な時間量を決定するように構成され、
前記ユーザ装着可能センサデバイスの表示ユニットを介して、現在時刻よりも前の少なくとも一つの期間中の、前記ユーザの決定された配向に関する又は基づく情報を表示することは、前記複数の異なる配向において費やされた相対的な時間量の表示を示すことを含む請求項１のシステム。
【請求項４】
前記データ分析システムのプロセスは、前記ユーザが最大の時間量を費やした配向を決定するように構成され、
前記ユーザ装着可能センサデバイスの表示ユニットを介して、現在時刻よりも前の少なくとも一つの期間中の、前記ユーザの決定された配向に関する又は基づく情報を表示することは、前記ユーザが最大の時間量を費やした配向の表示を示すことを含む請求項１のシステム。
【請求項５】
前記データ分析システムのプロセスは、最高圧力にさらされていた前記ユーザの身体の領域を決定するように構成され、
前記ユーザ装着可能センサデバイスの表示ユニットを介して現在時刻よりも前の少なくとも一つの期間中の、前記ユーザの決定された配向に関する又は基づく情報を表示することは、前記最高圧力にさらされていた前記ユーザの身体の領域の表示を示すことを含む請求項１のシステム。
【請求項６】
前記現在時刻よりも前の少なくとも一つの期間中の、前記ユーザの決定された配向に関する又は基づく情報を表示することは、現在時刻よりも前の時刻から続いている期間中の、前記ユーザの決定された配向に関する又は基づく情報を表示することを含む請求項１のシステム。
【請求項７】
前記ユーザ装着可能センサデバイスの表示ユニットは、前記ユーザの現在の配向に関する情報を表示するように構成される請求項１のシステム。
【請求項８】
前記データ分析システムは前記ユーザ装着可能センサデバイスに設けられる請求項１のシステム。
【請求項９】
前記データ分析システムは、前記ユーザ装着可能センサデバイスとは別個とされる請求項１のシステム。
【請求項１０】
ユーザに又は前記ユーザが装着する物品に直接又は間接に固定されるように構成されたユーザ装着可能センサデバイスであって、
前記ユーザの配向に関連付けられたセンサデータを収集するように構成された少なくとも一つのセンサと、
少なくとも一つのＬＥＤ又は他の視覚インジケータを含む表示ユニットと、
プロセッサと
を含み、
前記プロセッサは、
前記少なくとも一つのセンサが収集したセンサデータに基づいて経時的に前記ユーザの配向をモニタリングすることと、
前記ユーザの経時的にモニタリングされた配向に基づいて、少なくとも一つの定義されたユーザ配向に費やされた時間量を決定することと、
前記少なくとも一つの定義されたユーザ配向に費やされた前記決定された時間量と、前記ユーザのために予め定義された向き変更プロトコルとに基づいてユーザ配向状態を決定することと、
前記決定されたユーザ配向状態を示す情報を表示するように前記表示ユニットを制御することと
を行うように構成されるユーザ装着可能センサデバイス。
【請求項１１】
ユーザ配向状態を決定することは、前記ユーザのために予め定義された向き変更プロトコルについて遵守又は非遵守を決定することを含み、
前記決定されたユーザ配向状態を示す情報を表示するように前記表示ユニットを制御することは、前記予め定義された向き変更プロトコルについて前記決定された遵守又は非遵守を示す情報を表示するように前記表示ユニットを制御することを含む請求項１０のユーザ装着可能センサデバイス。
【請求項１２】
ユーザ配向状態を決定することは、前記ユーザの配向の変化が前記予め定義された向き変更プロトコルに従って特定された時を決定することを含み、
前記決定されたユーザ配向状態を示す情報を表示するように前記表示ユニットを制御することは、前記予め定義された向き変更プロトコルに従って前記ユーザの配向の特定された変化を示すように前記表示ユニットを制御することを含む請求項１０のユーザ装着可能センサデバイス。
【請求項１３】
ユーザ配向状態を決定することは、複数の異なる配向のそれぞれに費やされた時間を決定することを含み、
前記決定されたユーザ配向状態を示す情報を表示するように前記表示ユニットを制御することは、前記複数の異なる配向に費やされた相対的な時間量を示す情報を表示するように前記表示ユニットを制御することを含む請求項１０のユーザ装着可能センサデバイス。
【請求項１４】
前記複数の異なる配向に費やされた相対的な時間量を示すように前記表示ユニットを制御することは、前記ユーザが最大の時間量を費やした配向を示すように前記表示ユニットを制御することを含む請求項１３のユーザ装着可能センサデバイス。
【請求項１５】
ユーザ配向状態を決定することは、最高圧力にさらされていた前記ユーザの身体の領域を決定することを含み、
前記決定されたユーザ配向状態を示す情報を表示するように前記表示ユニットを制御することは、前記最高圧力にさらされていた前記ユーザの身体の領域を示すように前記表示ユニットを制御することを含む請求項１０のユーザ装着可能センサデバイス。
【請求項１６】
前記ユーザの現在の配向を示す情報を表示するように前記表示ユニットを制御することを含む請求項１０のユーザ装着可能センサデバイス。
【請求項１７】
ユーザをモニタリングするシステムであって、
前記ユーザに又は前記ユーザが装着する物品に直接又は間接に固定されるように構成されたユーザ装着可能センサデバイスであって、前記ユーザの配向に関連付けられたセンサデータを収集するように構成された少なくとも一つのセンサを含むユーザ装着可能センサデバイスと、
少なくとも一つのＬＥＤ又は他の視覚インジケータを含む前記ユーザ装着可能センサデバイスの表示ユニットと、
プロセッサを含むデータ分析システムと
を含み、
前記プロセッサは、
前記少なくとも一つのセンサが収集したセンサデータを受信することと、
前記ユーザの配向を決定するべく前記センサデータを分析することと
を行うように構成され、
前記ユーザ装着可能センサデバイスの表示ユニットは、
現在時刻の前の少なくとも一つの期間中に、前記ユーザの決定された配向に関する又は基づく情報を表示することと、
前記ユーザの現在の配向を示す情報を表示することと
を行うように構成されるシステム。